【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
ユーザ情報に基づいて、予め定める動作内容の動作を実行する電子装置であって、
利用者によって設定されるユーザ情報を記憶可能な記憶手段と、
媒体に情報を表わす媒体出力手段と、
少なくとも記憶手段および媒体出力手段を含む電子装置の各手段に駆動電力を供給するための電源手段
と、
駆動電力の電圧を検出する電圧検出手段と、
電圧検出手段によって検出される電圧が予め定める設定電圧以下になったとき、記憶手段に記憶されるユーザ情報を媒体に表すように、媒体出力手段を制御し、ユーザ情報を媒体に表わした後、各手段への駆動電力の供給を停止するように、電源手段を制御する制御手段とを含むことを特徴とする電子装置。
【請求項２】
利用者によって操作され、動作内容が設定されるスイッチ手段を含み、
ユーザ情報は、スイッチ手段の操作によって設定された動作内容を表すスイッチ情報を含むことを特徴とする請求項１記載の電子装置。
【請求項３】
利用者によって操作され、動作内容が入力される入力手段を含み、
ユーザ情報は、入力手段の操作によって入力された動作内容を表す入力情報を含むことを特徴とする請求項１または２記載の電子装置。
【請求項４】
順設定手段を含み、
記憶手段には、複数のユーザ情報が記憶されており、
順設定手段には、各ユーザ情報を媒体に表わす順が設定され、
制御手段は、順設定手段に設定される順に、記憶手段に記憶されるユーザ情報を表わすように、媒体出力手段を制御することを特徴とする請求項１〜３のいずれかに記載の電子装置。
【請求項５】
記憶手段にユーザ情報が記憶されていない場合、制御手段は、電圧検出手段によって検出される電圧が前記設定電圧以下になったとき、その電圧が予め定められる最低電圧を超えるか否かを判定し、検出電圧が最低電圧を超えると判定すると、検出電圧が最低電圧以下になるまで、各手段への駆動電力の供給を継続するように、電源手段を制御することを特徴とする請求項１〜４のいずれかに記載の電子装置。
【請求項６】
利用者の操作によって、電力供給を続行するか否かを設定する設定手段を含み、
記憶手段にユーザ情報が記憶されていない場合、制御手段は、電圧検出手段によって検出される電圧が前記設定電圧以下になったとき、設定手段によって電力供給を続行すると設定されていると、予め定められる最低電圧を超えるか否かを判定し、検出電圧が最低電圧を超えると判定すると、検出電圧が最低電圧以下になるまで、各手段への駆動電力の供給を継続するように、電源手段を制御し、設定手段によって電力供給しないと設定されていると、各手段への駆動電力の供給を停止するように、電源手段を制御することを特徴とする請求項１〜５のいずれかに記載の電子装置。
【請求項７】
選択手段を含み、
記憶手段には、複数のユーザ情報が記憶されており、
選択手段には、各ユーザ情報に対して媒体出力および媒体非出力のいずれか一方を表す出力選択が設定され、
制御手段は、選択手段に設定される出力選択に基づいて、記憶手段に記憶されるユーザ情報を媒体に表すように、媒体出力手段を制御することを特徴とする請求項１〜６のいずれかに記載の電子装置。
【請求項８】
電圧設定手段を含み、
記憶手段には、複数のユーザ情報が記憶されており、
電圧設定手段には、ユーザ情報の情報量に基づいて、前記設定電圧が設定されることを特徴とする請求項１〜７のいずれかに記載の電子装置。
【手続補正２】
【補正対象書類名】明細書
【補正対象項目名】０００１
【補正方法】変更
【補正の内容】
【０００１】
本発明は、記憶手段に記憶される情報を媒体に出力可能な媒体出力手段を有する電子装置に関する。
【手続補正３】
【補正対象書類名】明細書
【補正対象項目名】００１３
【補正方法】変更
【補正の内容】
【００１３】
本発明の目的は、利用者によって設定された情報を媒体に出力しておくことによって、利用者に対する利便性を向上することができる電子装置を提供することである。また本発明の目的は、電源の電力を有効に活用することができる電子装置を提供することである。
【手続補正４】
【補正対象書類名】明細書
【補正対象項目名】００１４
【補正方法】変更
【補正の内容】
【００１４】
本発明は、ユーザ情報に基づいて、予め定める動作内容の動作を実行する電子装置であって、
利用者によって設定されるユーザ情報を記憶可能な記憶手段と、
媒体に情報を表わす媒体出力手段と、
少なくとも記憶手段および媒体出力手段を含む電子装置の各手段に駆動電力を供給するための電源手段
と、
駆動電力の電圧を検出する電圧検出手段と、
電圧検出手段によって検出される電圧が予め定める設定電圧以下になったとき、記憶手段に記憶されるユーザ情報を媒体に表すように、媒体出力手段を制御し、ユーザ情報を媒体に表わした後、各手段への駆動電力の供給を停止するように、電源手段を制御する制御手段とを含むことを特徴とする電子装置である。
【手続補正５】
【補正対象書類名】明細書
【補正対象項目名】００１５
【補正方法】変更
【補正の内容】
【００１５】
本発明に従えば、電子装置は、記憶手段、電源手段および制御手段を含んで構成され、ユーザ情報に基づいて、予め定める動作内容の動作を実行する。電子装置の各手段には、電源手段によって駆動電力が供給される。性記憶手段には、利用者によって設定されるユーザ情報が記憶され、このユーザ情報に基づいて、動作を実行する。
【手続補正６】
【補正対象書類名】明細書
【補正対象項目名】００１６
【補正方法】変更
【補正の内容】
【００１６】
ユーザ情報が記憶手段に記憶されている場合、電圧検出手段によって検出される駆動電力の電圧が予め定める設定電圧以下になったとき、媒体出力手段が、記憶手段に記憶されるユーザ情報を媒体に表すように、制御手段によって制御される。媒体出力手段によってユーザ情報が媒体に表わされた後、電源手段が、各手段への駆動電力の供給を停止するように、制御手段によって制御される。
【手続補正７】
【補正対象書類名】明細書
【補正対象項目名】００１７
【補正方法】変更
【補正の内容】
【００１７】
このように検出される駆動電力の電圧が予め定める設定電圧以下になったとき、記憶手段からユーザ情報が消去される前に、ユーザ情報が媒体に表わされ、その後、各手段への駆動電力の供給が停止される。電力供給を停止することによって記憶手段から消去されても、媒体に表わされたユーザ情報を用いて、利用者が手間をかけずに元の設定状態に戻すことができる。これによって利用者に対する利便性を向上することができる。また媒体に情報を表わした後に、電力供給を停止するので、電力を節約して媒体出力以外の動作に必要となったときに、電源手段の電力を用いるなどして、バッテリの電力を有効に活用することができる。
【手続補正８】
【補正対象書類名】明細書
【補正対象項目名】００１８
【補正方法】変更
【補正の内容】
【００１８】
また本発明は、利用者によって操作され、動作内容が設定されるスイッチ手段を含み、
ユーザ情報は、スイッチ手段の操作によって設定された動作内容を表すスイッチ情報を含むことを特徴とする。
【手続補正９】
【補正対象書類名】明細書
【補正対象項目名】００１９
【補正方法】変更
【補正の内容】
【００１９】
本発明に従えば、スイッチ手段は、利用者によって操作され、利用者の操作によって動作内容が設定される。スイッチ手段の操作によって設定された動作内容は、スイッチ情報として記憶される。この利用者の操作によるスイッチ情報を、記憶手段に記憶される場合、各手段への駆動電力の供給を停止する前に、媒体に表わすことができる。これによって利用者が、媒体に表わされたスイッチ情報に基づいて、スイッチ情報を元の設定状態になるように設定するときの利便性を確実に向上することができる。
【手続補正１０】
【補正対象書類名】明細書
【補正対象項目名】００２０
【補正方法】変更
【補正の内容】
【００２０】
また本発明は、利用者によって操作され、動作内容が入力される入力手段を含み、
ユーザ情報は、入力手段の操作によって入力された動作内容を表す入力情報を含むことを特徴とする。
【手続補正１１】
【補正対象書類名】明細書
【補正対象項目名】００２１
【補正方法】変更
【補正の内容】
【００２１】
本発明に従えば、入力手段は、利用者によって操作され、利用者の操作によって動作手段による動作内容が入力される。入力手段の操作によって入力された動作内容は、入力情報として記憶される。この利用者の操作による入力情報を、記憶手段に記憶される場合、各手段への駆動電力の供給を停止する前に、媒体に表わすことができる。これによって利用者が、媒体に表わされた入力情報に基づいて、入力情報を元の入力状態になるように設定するときの利便性を確実に向上することができる。
【手続補正１２】
【補正対象書類名】明細書
【補正対象項目名】００２２
【補正方法】変更
【補正の内容】
【００２２】
また本発明は、順設定手段を含み、
記憶手段には、複数のユーザ情報が記憶されており、
順設定手段には、各ユーザ情報を媒体に表わす順が設定され、
制御手段は、順設定手段に設定される順に、記憶手段に記憶されるユーザ情報を表わすように、媒体出力手段を制御することを特徴とする。
【手続補正１３】
【補正対象書類名】明細書
【補正対象項目名】００２３
【補正方法】変更
【補正の内容】
【００２３】
本発明に従えば、記憶手段には、複数のユーザ情報が記憶される。順設定手段には、各ユーザ情報の媒体への出力順が設定される。媒体出力手段は、順設定手段によって設定される順に、記憶手段に記憶されるユーザ情報を媒体に表わすように、制御手段によって制御される。このように各ユーザ情報が順設定手段に設定される順に、媒体に表わされるので、利用者にとって重要なユーザ情報が先に媒体に表わされるように設定することができる。したがって、たとえばユーザ情報が印字される印字媒体が、途切れてしまった場合であっても、利用者にとって重要なユーザ情報が出来るだけ印字されるように構成することができる。
【手続補正１４】
【補正対象書類名】明細書
【補正対象項目名】００２４
【補正方法】変更
【補正の内容】
【００２４】
また本発明は、記憶手段にユーザ情報が記憶されていない場合、制御手段は、電圧検出手段によって検出される電圧が前記設定電圧以下になったとき、その電圧が予め定められる最低電圧を超えるか否かを判定し、検出電圧が最低電圧を超えると判定すると、検出電圧が最低電圧以下になるまで、各手段への駆動電力の供給を継続するように、電源手段を制御することを特徴とする。
【手続補正１５】
【補正対象書類名】明細書
【補正対象項目名】００２５
【補正方法】変更
【補正の内容】
【００２５】
本発明に従えば、記憶手段にユーザ情報が記憶されていない場合、制御手段は、検出される電圧が設定電圧以下になったとき、その電圧が動作手段の動作に必要な最低電圧を超えるか否かを判断する。制御手段が、検出される電圧が最低電圧を超えると判定すると、電源手段は、検出電圧が最低電圧以下になるまで、各手段への駆動電力の供給を継続するように制御される。このように記憶手段にユーザ情報が記憶されていない場合には、検出電圧が設定電圧以下になっても、各手段への駆動電力の供給を停止せずに、最低電圧以下になるまで継続される。これによって媒体出力動作以外の動作に、電源手段の駆動電力を利用することができ、電源手段の駆動電力を効率よく活用することができる。
【手続補正１６】
【補正対象書類名】明細書
【補正対象項目名】００２６
【補正方法】変更
【補正の内容】
【００２６】
また本発明は、利用者の操作によって、電力供給を続行するか否かを設定する設定手段を含み、
記憶手段にユーザ情報が記憶されていない場合、制御手段は、電圧検出手段によって検出される電圧が前記設定電圧以下になったとき、設定手段によって電力供給を続行すると設定されていると、予め定められる最低電圧を超えるか否かを判定し、検出電圧が最低電圧を超えると判定すると、検出電圧が最低電圧以下になるまで、各手段への駆動電力の供給を継続するように、電源手段を制御し、設定手段によって電力供給しないと設定されていると、各手段への駆動電力の供給を停止するように、電源手段を制御することを特徴とする。
【手続補正１７】
【補正対象書類名】明細書
【補正対象項目名】００２７
【補正方法】変更
【補正の内容】
【００２７】
本発明に従えば、利用者が設定手段を操作することによって、電力供給を続行するか否かが設定される。記憶手段にユーザ情報が記憶されていない場合、検出される電圧が設定電圧以下になったとき、設定手段によって電力供給を続行すると設定されていると、制御手段は、検出される電圧が動作手段の動作に必要な最低電圧を超えるか否かを判定する。制御手段が検出される電圧が最低電圧を超えると判定すると、電源手段は、検出電圧が最低電圧以下になるまで、各手段への駆動電力の供給を継続するように制御される。制御手段が検出される電圧が最低電圧以下であると判定すると、電源手段は、各手段への駆動電力の供給を停止するように制御される。
【手続補正１８】
【補正対象書類名】明細書
【補正対象項目名】００２８
【補正方法】変更
【補正の内容】
【００２８】
また記憶手段にユーザ情報が記憶されていない場合、検出される電圧が設定電圧以下であると判定されると、電源手段は、各手段への駆動電力の供給を停止するように制御される。このようにユーザ情報が記憶されていない場合、電源手段の各手段への駆動電力の供給を続行するか否かを、利用者が設定手段を操作することによって選択することができる。これによって利便性の高い電子装置を実現することができる。
【手続補正１９】
【補正対象書類名】明細書
【補正対象項目名】００２９
【補正方法】変更
【補正の内容】
【００２９】
また本発明は、選択手段を含み、
記憶手段には、複数のユーザ情報が記憶されており、
選択手段には、各ユーザ情報に対して媒体出力および媒体非出力のいずれか一方を表す出力選択が設定され、
制御手段は、選択手段に設定される出力選択に基づいて、記憶手段に記憶されるユーザ情報を媒体に表すように、媒体出力手段を制御することを特徴とする。
【手続補正２０】
【補正対象書類名】明細書
【補正対象項目名】００３０
【補正方法】変更
【補正の内容】
【００３０】
本発明に従えば、記憶手段には、複数のユーザ情報が記憶される。選択手段には、各ユーザ情報に対して媒体出力および媒体非出力のいずれか一方を表す出力選択が設定される。媒体出力手段は、選択手段に設定される出力選択に基づいて、記憶手段に記憶されるユーザ情報を媒体に出力するように、制御手段によって制御される。このように複数のユーザ情報から、媒体に表わすユーザ情報を選択して、必要最低限のユーザ情報だけを媒体に表わすことができる。これによって複数のユーザ情報すべてを媒体に表わす場合に比べて、媒体の出力に必要な電力を可及的に少なくして、媒体の出力以外の動作に電力を利用することができる。したがって電源手段の駆動電力を有効に活用することができる。
【手続補正２１】
【補正対象書類名】明細書
【補正対象項目名】００３１
【補正方法】変更
【補正の内容】
【００３１】
また本発明は、電圧設定手段を含み、
記憶手段には、複数のユーザ情報が記憶されており、
電圧設定手段には、ユーザ情報の情報量に基づいて、前記設定電圧が設定されることを特徴とする。
【手続補正２２】
【補正対象書類名】明細書
【補正対象項目名】００３２
【補正方法】変更
【補正の内容】
【００３２】
本発明に従えば、設定電圧は、記憶手段に記憶される複数のユーザ情報の情報量に基づいて、電圧設定手段に設定される。このように設定電圧を、ユーザ情報の情報量に基づいて変更して設定することができるので、必要なユーザ情報を媒体に表わしたうえで、電源手段の駆動電力を有効に活用することができる。
【手続補正２３】
【補正対象書類名】明細書
【補正対象項目名】００３３
【補正方法】変更
【補正の内容】
【００３３】
本発明によれば、検出される駆動電力の電圧が予め定める設定電圧以下になったとき、記憶手段からユーザ情報が消えてしまう前に、ユーザ情報が媒体に表わされ、その後、各手段への駆動電力の供給が停止される。電力供給を停止することによって記憶手段から消去されても、媒体に表わされたユーザ情報を用いて、利用者が手間をかけずに元の設定状態に戻すことができる。これによって利用者が手間をかけずに元の状態に戻すことができ、利用者に対する利便性を向上することができる。また媒体に表わした後に、電力供給を停止するので、電力を節約して媒体に対する情報の出力以外の動作に必要となったときに、電源手段の電力を用いるなどして、電源手段の電力を有効に活用することができる。
【手続補正２４】
【補正対象書類名】明細書
【補正対象項目名】００３４
【補正方法】変更
【補正の内容】
【００３４】
また本発明によれば、利用者のスイッチ手段の操作によるスイッチ情報を、記憶手段に記憶される場合、各手段への駆動電力の供給を停止する前に、媒体に表わすことができる。これによって利用者が、媒体に表わされたスイッチ情報に基づいて、スイッチ情報を元の設定状態になるように設定するときの利便性を確実に向上することができる。
【手続補正２５】
【補正対象書類名】明細書
【補正対象項目名】００３５
【補正方法】変更
【補正の内容】
【００３５】
また本発明によれば、利用者の入力手段の操作による入力情報を、記憶手段に記憶される場合、各手段への駆動電力の供給を停止する前に、媒体に表わすことができる。これによって利用者が、媒体に表わされた入力情報に基づいて、入力情報を元の入力状態になるように設定するときの利便性を確実に向上することができる。
【手続補正２６】
【補正対象書類名】明細書
【補正対象項目名】００３６
【補正方法】変更
【補正の内容】
【００３６】
また本発明によれば、各ユーザ情報に媒体への出力順が設定されるので、利用者にとって重要なユーザ情報を、先に媒体に表わすことができる。したがって、たとえばユーザ情報が印字される印字媒体が、途切れてしまった場合であっても、利用者にとって重要なユーザ情報が出来るだけ印字されるように構成することができる。
【手続補正２７】
【補正対象書類名】明細書
【補正対象項目名】００３７
【補正方法】変更
【補正の内容】
【００３７】
また本発明によれば、記憶手段にユーザ情報が記憶されていない場合には、検出電圧が設定電圧以下になっても、各手段への駆動電力の供給を停止せずに、最低電圧未満になるまで継続される。これによって媒体への情報の出力動作以外の動作に、電源手段の駆動電力を利用することができ、電源手段の駆動電力を効率よく活用することができる。
【手続補正２８】
【補正対象書類名】明細書
【補正対象項目名】００３９
【補正方法】変更
【補正の内容】
【００３９】
また本発明によれば、複数のユーザ情報から、媒体に表わすユーザ情報を選択して、必要最低限のユーザ情報だけを媒体に表わすことができる。これによって複数のユーザ情報すべてを媒体に表わす場合に比べて、媒体への情報の出力に必要な電力を可及的に少なくして、媒体への情報の出力以外の動作に電力を利用することができる。したがって電源手段の駆動電力を有効に活用することができる。
【手続補正２９】
【補正対象書類名】明細書
【補正対象項目名】００４０
【補正方法】変更
【補正の内容】
【００４０】
また本発明によれば、設定電圧を、各ユーザ情報に基づいて変更して設定することができるので、設定電圧が一定値に固定される場合に比べて、必要なユーザ情報を媒体に表わしたうえで、媒体への情報の出力以外の動作に電源手段の駆動電力を有効に活用することができる。
【手続補正３０】
【補正対象書類名】明細書
【補正対象項目名】００４５
【補正方法】変更
【補正の内容】
【００４５】
印字手段であるプリンタ手段５は、ユーザ情報を含む各種の情報を、シート状の印字媒体１１に印字する。印字手段は、媒体に情報を表わす媒体出力手段である。プリンタ手段５には、プログラムＲＯＭ３に記憶されるプログラムに従ってＣＰＵ４から指令が与えられ、この指令に基づいて、プリンタ手段５は、情報を印字する。電源手段であるバッテリ６は、少なくともＲＡＭ２、ＣＰＵ４およびプリンタ手段５を含む電子装置１の各手段に駆動電力を供給するための手段であり、たとえば交換可能に設けられる内部電源である。